(57)【要約】【課題】バネの変形を招来し難く、戸袋収納タイプの引戸に用いた場合であっても引戸の開放状態の保持力の調節を行える引戸装置及び構造の提供。【解決手段】レールに沿って摺動し引戸本体に取付けるハンガーと、レールに配置する保持力調節装置とを備え、保持力調節装置とハンガーの一部とが係止して引戸の開放状態を保持可能とし、保持力調節装置は、レールに対する設置位置を確保する設置部と、該設置部と一体若しくは別体として連結される長尺弾性部と、該長尺弾性部とハンガーの一部との係止位置を調節する調節部とを備え、長尺弾性部は、その基端側と先端側の二箇所を当接部とし、これらの当接部間には前記ハンガーの係止手段と係止可能な係止部を備え、前記設置部に対する調節部の位置に応じ、調節部と長尺弾性部の二箇所の支点の位置変更により、引戸の開放状態における保持力を調節する引戸装置及び引戸構造。【選択図】図２
2014020160.tif 000002
【特許請求の範囲】
【請求項１】
レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、
保持力調節装置は、レールに対する設置位置を確保する設置部と、前記設置部と一体若しくは別体として連結される長尺弾性部と、該長尺弾性部と前記ハンガーの一部との係止位置を調節する調節部とから構成され、
前記長尺弾性部は、その基端側と先端側の二箇所を当接部とし、これらの当接部間には前記ハンガーの係止手段と係止可能な係止部を備え、前記設置部に対する調節部の位置に応じ、調節部と長尺弾性部の二箇所の支点の位置変更により、引戸の開放状態における保持力を調節することを特徴とする引戸装置。
【請求項２】
調節部は、設置部に対してスライド及び固定が可能であることを特徴とする請求項１記載の引戸装置。
【請求項３】
調節部は、レールに対して直接又は間接的に設置される一又は複数の調節用ライナーであり、長尺弾性部と前記調節用ライナーの当接位置が、当該二箇所の支点位置のうちの一箇所の支点位置となることを特徴とする請求項１又は２記載の引戸装置。
【請求項４】
調節部は、レールに対して直接又は間接的に設置される調節螺子用保持部と、該調節螺子用保持部に保持される調節螺子とを備え、調節用螺子用保持部からの調節螺子の先端の突出量を調節可能とすることにより、長尺弾性部と調節螺子の先端との当接位置が、当該二箇所の支点位置のうちの一箇所の支点位置となることを特徴とする請求項１記載の引戸装置。
【請求項５】
レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、
保持力調節装置は、レールに対する設置位置を確保する設置部と、前記設置部と一体若しくは別体として連結される長尺弾性部とを備え、
前記ハンガーは、前記長尺弾性部と前記ハンガーの一部との係止位置を調節する調節部を備え、
前記長尺弾性部は、その基端側と先端側の二箇所を当接部とし、これらの当接部間には前記ハンガーの係止手段と係止可能な係止部を備え、該係止部に対して前記係止手段の位置の変更により、引戸の開放状態における保持力を調節することを特徴とする引戸装置。
【請求項６】
調節部は、係止装置に備え、ハンガーに対する係止装置の位置をスライド調節可能としたことを特徴とする請求項５記載の引戸装置。
【請求項７】
調節部は、係止装置とハンガーとの間に一又は複数の調節用ライナーを設けたことを特徴とする請求項５記載の引戸装置。
【請求項８】
請求項１乃至請求項７のいずれか一項の引戸装置を備えたことを特徴とする引戸構造。
【発明の詳細な説明】
【技術分野】
【０００１】
本発明は、主として自動閉鎖機構を有する引戸を、意図的に開放状態に維持するための引戸装置と引戸構造の改良に関するものである。
【背景技術】
【０００２】
従来、引戸の保持力の調節を行う手段を備えた引戸構造として、引戸の枠体に固定された固定部に、引戸の開き位置又は閉じ位置で戸車が当接する戸当り部と、戸車の周面に弾性接触して戸車を開き位置又は閉じ位置に保持する弾性保持部材とを備えた引戸用ストッパーであって、前記弾性保持部材は、基部が前記固定部に固定される主弾性片と、基部が前記固定部に前後方向に移動可能に取付けられる副弾性片とからなり、前記主弾性片は、先端部に戸車の反戸当り側の周縁に接触して前記戸車を前記戸当り部の方向に弾発力によって押圧する戸車保持用の突出部を折り曲げ形成するとともに、前記副弾性片は、先端部に前記主弾性片の突出部背面側の凹部内に侵入する凸部を有し、前記副弾性片を前記固定部に対して前後方向に移動させて前記凸部による前記突出部への押圧力を調整して前記弾性保持部材の保持力の調節を行うことができる引戸装置（例えば、特許第３６４７１１７号公報）が公知である。
【先行技術文献】
【特許文献】
【０００３】
【特許文献１】特許第３６４７１１７号公報
【０００４】
上記引戸装置は、弾性保持部材の保持力の調節を行うことで、適切な保持力として、引戸を開放状態で保持することができる利点を有する。
【０００５】
しかしながら、バネの一端が自由に揺動する構成であり、且つ、バネの先端側に戸車が当接する構造であるため、当該バネに戸車が非常に強く衝突することで、バネが変形して引戸の保持力に影響が生じる虞が大きい欠点があった。
【０００６】
また、当該引戸装置を、戸袋収納タイプの引戸に用いると、必然的に戸袋内に設けることとなる。このため、設置時こそ保持力の調節が行えるものの、一度設置すると、戸袋内の引戸装置の調節作業が極めて困難となり、事実上、保持力の調節ができないものとなっていた。更に、上記したバネの変形等が生じた場合にも、その交換は非常に困難なものであった。
【発明の概要】
【発明が解決しようとする課題】
【０００７】
本発明は、以上の事情に鑑みてなされたものであり、バネ等の弾性長尺部の変形を招来し難い、優れた引戸装置及び引戸構造の提供を、発明が解決しようとする課題とする。
尚、本発明における引戸構造とは、引戸装置及び引戸を含む引戸の開閉構造全体を含む構成をいう。
【０００８】
また、本発明は、上記課題を解決することに加え、戸袋収納タイプの引戸に用いた場合であっても引戸の開放状態の保持力の調節を行うことができる、優れた引戸装置及び引戸構造の提供を、発明が解決しようとする課題とする。
【課題を解決するための手段】
【０００９】
レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、
保持力調節装置は、レールに対する設置位置を確保する設置部と、前記設置部と一体若しくは別体として連結される長尺弾性部と、該長尺弾性部と前記ハンガーの一部との係止位置を調節する調節部とから構成され、
前記長尺弾性部は、その基端側と先端側の二箇所を当接部とし、これらの当接部間には前記ハンガーの係止手段と係止可能な係止部を備え、前記設置部に対する調節部の位置に応じ、調節部と長尺弾性部が当接する二箇所の支点位置の変更により、引戸の開放状態における保持力を調節することを特徴とする引戸装置を、課題を解決するための手段とする。
尚、本発明における上記保持力調節装置における調節部は、当該保持力調節装置を構成する他の部材（例えば、設置部）等に直接取付けるものであってもよいし、分離してレール等に直接取付けるものであってもよい趣旨である。
【００１０】
また、上記発明において、調節部は、設置部に対してスライド及び固定が可能であることを特徴とする引戸装置を、課題を解決するための手段とする。
【００１１】
また、本発明は、上記いずれかの発明における調節部が、レールに対して直接又は間接的に設置される一又は複数の調節用ライナーであり、長尺弾性部と前記調節用ライナーとの当接位置が当該二箇所の支点位置のうちの一箇所の支点位置となることを特徴とする引戸装置を、課題を解決するための手段とする。
【００１２】
また、本発明は、上記いずれかの発明の調節部が、レールに対して直接又は間接的に設置される調節螺子用保持部と、該調節螺子用保持部に保持される調節螺子とを備え、調節用螺子用保持部からの調節螺子の先端の突出量を調節可能とすることにより、長尺弾性部と調節螺子の先端との当接位置が、当該二箇所の支点位置のうちの一箇所の支点位置となることを特徴とする引戸装置を、課題を解決するための手段とする。
【００１３】
また本発明は、レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、保持力調節装置は、レールに対する設置位置を確保する設置部と、前記設置部と一体若しくは別体として連結される長尺弾性部とを備え、前記ハンガーは、前記長尺弾性部と前記ハンガーの一部との係止位置を調節する調節部を備え、前記長尺弾性部は、その基端側と先端側の二箇所を当接部とし、これらの当接部間には前記ハンガーの係止手段と係止可能な係止部を備え、該係止部に対して前記係止手段の位置の変更により、引戸の開放状態における保持力を調節することを特徴とする引戸装置を、課題を解決するための手段とする。
【００１４】
また、本発明は、前記発明において、調節部は、係止装置に備え、ハンガーに対する係止装置の位置をスライド調節可能とし、若しくは、係止装置とハンガーとの間に一又は複数の調節用ライナーを設けたことを特徴とする引戸装置を、課題を解決するための手段とする。
【００１５】
本発明は、上記に示したいずれかの引戸装置を備えたことを特徴とする引戸構造を、課題を解決するための手段とする。
【発明の効果】
【００１６】
請求項１に係る発明によれば、レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、保持力調節装置は、レールに対する設置位置を確保する設置部と、前記設置部と一体若しくは別体として連結される長尺弾性部と、該長尺弾性部と前記ハンガーの一部との係止位置を調節する調節部とから構成され、前記長尺弾性部は、その基端側と先端側の二箇所を当接部とし、これらの当接部間には前記ハンガーの係止手段と係止可能な係止部を備え、前記設置部に対する調節部の位置に応じ、調節部と長尺弾性部の二箇所の当接位置の変更により、引戸の開放状態における保持力を調節する引戸装置としたことから、長尺弾性部が二点支持構造されることで、長尺弾性部の支点ｆ部分への負荷を分散して当該長尺弾性部の耐久性を高め、長尺弾性部の変形による保持力の喪失等の危険性を大きく低減することができる。そして、二箇所の当接位置の変更により、長尺弾性部の強度を保ちながら、引戸の保持力の調節を行うことができる。
【００１７】
請求項２に係る発明によれば、上記請求項１に係る発明の作用効果を発揮できる上に、調節部は、設置部に対してスライド及び固定が可能であることを特徴とする引戸装置とすることによって、引戸の保持力の調節操作をすることが可能となり、簡単に引戸の保持力の調節を行うことができる。
【００１８】
請求項３に係る発明によれば、上記請求項１又は請求項２にかかる発明の作用効果を発揮できる上に、調節部は、レールに対して直接又は間接的に設置される一又は複数の調節用ライナーであり、長尺弾性部と前記調節用ライナーとの当接位置が一の支点位置となることとしたから、ライナーの増減によって、引戸の保持力の調節操作をすることが可能となり、簡単に引戸の保持力の調節を行うことができる。
【００１９】
請求項４に係る発明によれば、上記請求項１に係る発明の作用効果を奏する上に、調節部は、レールに対して直接又は間接的に設置される調節螺子用保持部と、該調節螺子用保持部に保持される調節螺子とを備え、調節用螺子用保持部からの調節螺子の先端の突出量を調節可能とすることにより、長尺弾性部と調節螺子の先端との当接位置が、当該二箇所の支点位置のうちの一箇所の支点位置となることとしたから、ドライバー等の工具で調節螺子の突出量を調節するだけで、引戸の保持力の調節操作をすることが可能となり、きわめて簡単に、引戸の保持力の調節を行うことができる。
【００２０】
請求項５に係る発明によれば、レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、保持力調節装置は、レールに対する設置位置を確保する設置部と、前記設置部と一体若しくは別体として連結される長尺弾性部とを備え、前記ハンガーは、前記長尺弾性部と前記ハンガーの一部との係止位置を調節する調節部を備え、前記長尺弾性部は、その基端側と先端側の二箇所を当接部とし、これらの当接部間には前記ハンガーの係止手段と係止可能な係止部を備え、該係止部に対して前記係止手段の位置の変更により、引戸の開放状態における保持力を調節することとしたから、固定用螺子を緩めて係止手段をスライドさせるだけで、引戸の保持力の調節操作をすることが可能となる。また、従来引戸の保持力の調節が行えない製品であっても、ハンガー若しくはハンガーの係止手段のみを交換するだけで、簡単に引戸の保持力の調節を行うことができるように変更することができる。
【００２１】
請求項６に係る発明によれば、上記請求項５に係る発明において、調節部は、係止装置に備え、ハンガーに対する係止装置の位置をスライド調節可能としたことから、請求項５と同様に、固定用螺子を緩めて係止手段をスライドさせるだけで、引戸の保持力の調節操作をすることが可能となる。また、従来引戸の保持力の調節が行えない製品であっても、ハンガー若しくはハンガーの係止手段のみを交換するだけで、簡単に引戸の保持力の調節を行うことができるように変更することができる。
【００２２】
請求項７に係る発明によれば、上記請求項５に係る発明において、調節部は、係止装置とハンガーとの間に一又は複数の調節用ライナーを設けたこととしたから、ライナーの増減によって、引戸の保持力の調節操作をすることが可能となり、簡単に引戸の保持力の調節を行うことができる。
【００２３】
請求項８に係る発明によれば、上記いずれかの引戸装置を当該引戸構造におけるレール若しくは引戸に備えることによって、必要に応じて引戸の保持力を簡単に調節でき、且つ、十分な耐久性を有する優れた引戸構造を提供することができる。
【図面の簡単な説明】
【００２４】
【図１】実施例１に係る引戸装置及び引戸構造を示す、引戸を閉鎖した状態の説明図。
【図２】実施例１に係る引戸装置及び引戸構造を示す、引戸を開放した状態の説明図。
【図３】実施例１に係る引戸構造において用いるレールを示す説明斜視図。
【図４】（ａ）実施例１に係る保持力調節装置を示す正面図、（ｂ）実施例１に係る保持力調節装置をレールに取付けた状態を示すＡ−Ａ断面図、（ｃ）同Ｂ−Ｂ断面図。
【図５】実施例１に係る保持力調節装置の調節板を示す（ａ）平面図、（ｂ）正面図、（ｃ）Ｃ−Ｃ断面図、（ｄ）Ｄ−Ｄ断面図、（ｅ）右側面図。
【図６】実施例１に係る保持力調節装置の板バネを示す（ａ）平面図、（ｂ）正面図。
【図７】（ａ）実施例１に係る第一ハンガーを示す説明図、（ｂ）レールと第一ハンガーを組み合わせ板バネと回転駒を係止させた状態を示す側面図。
【図８】（ａ）実施例１に係る保持力調節装置を縮小した状態を示す正面図、（ｂ）同保持力調節装置を伸張した状態を示す正面図。
【図９】実施例２に係る引戸装置を示す、引戸を閉じた状態の説明図。
【図１０】実施例３に係る引戸装置を示す、引戸を閉じた状態の説明図。
【図１１】（ａ）実施例４に係る引戸装置を示す説明図、（ｂ）実施例４の他の形態を示す第一ハンガーの斜視図。
【図１２】実施例５に係る引戸装置を示す説明図。
【図１３】実施例６に係る引戸装置を示す説明図。
【発明を実施するための形態】
【００２５】
レールに沿って摺動し引戸本体に取付けられるハンガーと、前記レールに配置する保持力調節装置とを備え、該保持力調節装置と前記ハンガーの一部とが係止して引戸の開放状態を保持可能とする引戸装置において、保持力調節装置は、レールに対する設置位置を確保する設置部と、該設置部に対してスライド固定可能な調節部と、前記設置部と一体若しくは別体として連結される長尺弾性部とを備え、前記長尺弾性部は、その基端側と先端側の二箇所を当接部とし、これらの当接部間に、前記ハンガーの係止手段と係止可能な係止部を備え、設置部に対する調節部のスライド位置に応じた、調節部と長尺弾性部の当接位置となる二箇所の支点の間の距離の変化により、引戸の開放状態における保持力を調節する構成としたことから、バネが二点支持構造されることで、バネの支点部分への負荷を分散して耐久性を高め、バネの変形による保持力の喪失等の危険性を大きく低減することができる。そして、二箇所の支点位置の変化により、バネへの負荷を分散して耐久性を高めつつ、引戸の保持力の調節を行うことができ、戸袋収納可能な引戸における引戸装置としても使用できるものとし、引戸の開放状態におけるレール上の設置部に対する調節部のスライド固定手段の位置及び係止部の位置が、戸袋外に配置される引戸構造とすることによって、戸袋収納タイプの引戸に用いた場合であっても、スライド固定手段を操作することが可能となり、簡単に引戸の保持力の調節を行うことができる、優れた引戸装置と、該引戸装置を備えた引戸構造の提供を実現した。
【実施例１】
【００２６】
本発明の実施例１に係る引戸構造Ｗは、図１及び図２に示すように、レール３に対して取付けられる保持力調節装置１と前記レール３に沿って移動可能なハンガー２とを有する引戸装置Ｐを備える。
【００２７】
前記レール３は、図３に示すように、設置上枠Ｆに取付けられるアルミ製の長尺材であり、垂直部３１と水平部３２によってその断面は略Ｌ字状に形成される。水平部３２の先端縁は、縁全体を上方へ延設してなるレール縁部３０とし、垂直部３１の上端側には、断面視矩形の一側辺中央に開口３４を有する形状として長手方向に連続する中空枠部３３を設けた構成である。尚、レール３のうち戸袋４内の端部近傍には、引戸Ｓの開放時の限界位置を位置決めするストッパー６を設けている。
【００２８】
前記保持力調節装置１は、図４に示すように、前記レール３の中空枠部３３の側壁３５を挟持する二枚の設置部としての設置板１０（外側設置板１０ａ、内側設置板１０ｂ）と、該設置板１０のうち外側設置板１０ａに対してスライド可能となる調節部としての調節板１１と、前記外側設置板１０ａに対して固定される長尺弾性部としての板バネ１２とからなる。
【００２９】
前記設置板１０のうち外側設置板１０ａは、長手方向に亘って９０度に曲げ加工をすることで断面視Ｌ字状に、側板１０１と底板１０２を形成した構成としている。側板１０１には固定手段となる皿ビス１０１ｂに対応したテーパー状の周面を有する取付穴１０１ａが形成されている。また、底板１０２には板バネ１２を固定するための手段となるリベット１０２ｂに対応した取付穴１０２ａが形成されている。
そして、外側設置板１０ａの底板１０２は前記中空枠部３３の底面３６と当接し、外側設置板１０ａの側板１０１は前記中空枠部３３の開口３４を有する側壁３５に当接する。
【００３０】
図４（ｂ）に示すように、内側設置板１０ｂには雌螺子穴１０１ｃを備え、外側設置板１０ａと内側設置板１０ｂで前記側壁３５を挟持して外側設置板１０ａにおける側板１０１の取付穴１０１ａから前記皿ビス１０１ｂを挿通して内側設置板１０ｂの雌螺子穴１０１ｃに螺着する。
【００３１】
前記調節板１１は、図４及び図５に示すように、基端側に長穴１１０を有し、先端側には前記レール３に対して水平を保つための第一突出部１１３と第二突出部１１４を備える。
また、調節板１１のスライド時に第一突出部１１３及び第二突出部１１４の追従を良好とするためにやや先端側寄りの位置に段差１１１を設けている。また、長穴１１０に沿って板バネ１２による開放した引戸Ｓの保持力の強弱の調節度合を示す表示１４を刻印している。
【００３２】
第一突出部１１３はプレス加工によって調節板１１の面に対して垂直に押出して形成され、スライド固定される後端側を含め、調節板１１全体がレール３に対して水平となるだけの突出量を確保している。
【００３３】
第二突出部１１４は、先端側の一部を９０度曲げて、前記レール３の中空枠部３３の底面３６に当接する構成としたものである。第二突出部１１４の形成によって先端側は断面視Ｌ字状となる。第二突出部１１４は前記外側設置板１０ａの底板１０２と同一水平面上に配置される。
【００３４】
図４（ｃ）のＢ−Ｂ断面図に示すように、固定用雄螺子１３を長穴１１０と外側設置板１０ａの側板１０１の取付穴１０１ｄを連通して内側設置板１０ｂの雌螺子１０１ｅに螺合することで、調節板１１を固定することができる。また固定用雄螺子１３を若干緩ませることで、調節板１１は長穴１１０の寸法で許容される範囲で長手方向にスライドさせることができる。
【００３５】
本発明の長尺弾性部となる板バネ１２は、図６に示すように、基端部１２０、中央部１２１及び先端部１２２を連続一体とした構成であり、該基端部１２０に設置板１０の底板１０２に対して鋲着するための取付穴１２４を備える。前記中央部１２１は、基端部１２０から長手方向に延設され側面視ヘの字状に曲げて構成される。先端部１２２は、前記中央部１２１から先端部１２２側へ連続し前記基端部１２０と同一平面上となるように形成した構成である。また、中央部１２１及び先端部１２２の幅寸法ｗ１は、基端部１２０の幅寸法ｗ２の約半分程度として形成される。中央部１２１の前記への字状の頂点部分１２３と該頂点部分１２３から先端側に位置する傾斜部１２５のうち前記頂点部分１２３の近傍となる部分がハンガー２に対する係止部となる。
【００３６】
前記板バネ１２は前記取付穴１２４からリベット１０２ｂを用いて前記外側設置板１０ａの底板１０２の取付穴１０２ａに対してカシメ固定した構成としている。
以上によって、前記レール３に対して保持力調節装置１が固着した構造が実現される。
【００３７】
ハンガー２は、図１に示すように、取付基板２３から立設した本体側壁２５に軸部を設け、該軸部で戸車２４を支持してなり、本体基板には、引戸Ｓを固定するための本体取付穴を備える。本実施例１においてハンガー２は、レール３に対して、戸先側の第一ハンガー２ａ、戸尻側の第二ハンガー２ｂの計二基を設けている。このうち本発明の構成として重要な働きに関与するハンガー２は、戸先側となる第一ハンガー２ａである。尚、第二ハンガー２ｂは別途設けられる制動装置５と連結され、引戸Ｓの急激な移動を制御する制動装置５の引戸Ｓに対する伝達部として機能しており、前記第一ハンガー２ａとともに移動するものである。
【００３８】
前記第一ハンガー２ａは、図１及び図７に示すように、本体側壁２５の戸先側の側辺から垂直方向に延設した側片２６を備え、該側片２６には、前記板バネ１２の係止部に対応する係止手段となる係止装置２０を設けた構成としている。当該第一ハンガー２ａは駆動装置７とワイヤーで連結されている。当該構成によって、駆動装置７が常に第一ハンガー２ａを介して引戸Ｓを閉方向へ付勢し、自動的な引戸の閉鎖を行うものである。
【００３９】
係止装置２０は断面視Ｌ字状の基板２７の一端に軸ピン２２を立設し、該軸ピン２２に回転駒２１を枢着した構成である。回転駒２１は本発明の係止手段となる。取付基板２３の他端側を前記側片２６に重合固定することで、回転駒２１は戸車２４と同方向に向けて設けられる。当該構成によって、回転駒２１は、引戸Ｓの開放状態においても、戸袋内には位置せず、戸袋外において、係止手段として機能するものである。
【００４０】
以上の構成によって、先ず、引戸Ｓを閉状態から開状態に移行させると、第一ハンガー２ａの戸車２４がレール縁部３０上を移動し、第一ハンガー２ａの回転駒２１が板バネ１２の基端部１２０の下面に接触し摺動する。回転駒２１が開方向の傾斜部１２６に至ると当該傾斜によって開方向への抵抗が大きくなり、頂点部１２３を超えることで、再度抵抗がなくなり、引戸Ｓの全開状態とすることができる。傾斜部１２６の傾斜は非常に緩やか（約１０°程度）に形成してあるため、違和感なく引戸Ｓを開状態とすることができる。
【００４１】
そして、上記開状態の保持について、閉方向へ第一ハンガーが２ａを移動させると、本発明の係止部を含む閉方向への傾斜部１２５は、前記開方向への傾斜部１２６よりも傾斜角度を大きく設定してあり（約２０°程度）、回転駒２１との接触により、急激に閉方向への引戸Ｓの移動を減速させる。回転駒２１と板バネ１２の係止部が係止することで、引戸Ｓの全開状態が保たれる。
【００４２】
この閉方向への引戸Ｓの移動に要する力の加減を調節するには、回転駒２１と板バネ１２の係止部の係止の加減を調節すればよく、調節は、調節板１１の位置をスライド変更して行うことができる。
【００４３】
即ち、調節板１１と板バネ１２との二箇所の当接位置となる支点ｆ、ｆ間の距離ｄを変更することで、保持力の調節を行う。当接位置の一箇所は板バネ１２が外側設置板１０ａの底板１０２に直接固定される基端部１２０であり、この位置は変更されない。当接位置の他の箇所は調節板１１の第二突出部１１４と板バネ１２との当接位置である。
【００４４】
保持力調節装置１の伸縮は前記長穴１１０の範囲で行うことができ、調節板１１が最も設置板１０側（戸先側）となる縮小状態のとき、図８（ａ）に示すように、調節板１１の第二突出部１１４は板バネ１２の先端部１２２のうちやや中央部１２１寄りの位置にある。この状態において二箇所の当接位置となる支点ｆ、ｆ間の距離ｄが最も短くなり、より多くの保持力を必要とする。
【００４５】
また調節板１１が最も戸尻側となる伸張状態のとき、図８（ｂ）に示すように、調節板１１の第二突出部１１４は板バネ１２の先端部１２２の端縁部位置にある。この状態において二箇所の当接位置となる支点ｆ、ｆ間の距離ｄが最も長くなり、より少ない保持力とすることができる。
【００４６】
また、本実施例１に示した保持力調節装置１は、スライド固定手段、即ち長穴１１０と固定用雄螺子１３の位置が、戸袋４外の戸尻側位置に配置した構成である。当該構成としたことによって、戸袋収納タイプの引戸Ｓに用いた場合であっても、調節板１１のスライド操作と固定用雄螺子１３の固定操作することが可能となり、簡単に引戸Ｓの保持力の調節を行うことができる。
【００４７】
更に、当該位置に保持力調節装置１を配置したことによって、第一設置板１０ａ及び第二設置板１０ｂの締め付けを緩めることやこれらの設置板１０の取り外しを容易とすることができるから、保持力調節装置１自体の位置の微調節や破損時の交換等も容易に行うことができる。
【００４８】
また、本実施例１においては、第二突出部１１４と外側設置板１０ａの底板１０２の厚みを同一とすることで、レール３に設置した際に、板バネ１２に対する二箇所の当接位置となる支点ｆ、ｆを水平位置に保つことができる。そしてこれによってバネに対する負荷を均一に受けることができ、保持力調節装置１に対する局所的な負荷を分散し、より耐久性を向上させ、高寿命化を図ることができる。
【００４９】
また、本実施例１においては、第二突出部１１４がレール３の中空枠部３３の底面３６に案内されるため、調節板１１のスライド操作を安定して行うことができる。
【００５０】
また、本実施例１においては、固定用雄螺子１３は一箇所のみ設けるものとしたが、本発明はこれに限らず二箇所以上に設けることもできる。尚、本実施例１においては、固定用雄螺子１３を一箇所のみとすることで、スライド位置の調節作業を簡単に行えるとともに、当該固定用雄螺子１３が一箇所のみであっても第二突出部１１４がレール３の中空枠部３３にガイドされることで、円滑なスライドを実現する点で優れた調節機能を実現している。
【実施例２】
【００５１】
次に、本発明の実施例２に係る引戸装置Ｐは、図９に示すように、上記実施例１と基本構成は共通するものであり、上記実施例１の構成のうち、調節部の機構のみを変更し、支点ｆの高さを調整する機構を備えたものである。即ち、本実施例２においては、上記実施例１における調節板１１に代えて、複数の調節用ライナー１５を重合して設けたものである。
【００５２】
当該調節用ライナー１５は重合する数量を変更することにより、支点ｆとなる板バネ１２との当接位置、即ち、板バネ１２の支点ｆの高さ方向の位置を変更することによって、板バネ１２の撓り量を変更し、保持力の調節を行うものである。
【００５３】
本実施例２においては、調節用ライナー１５は金属製板材とし、固定用螺子を通すための貫通穴を備える。前記固定用螺子を、前記調節用ライナー１５の貫通穴に通し、レールに設けた雌螺子穴に対して螺合させることによって、調節用ライナー１５を設置することができる。調節用ライナー１５は、使用する枚数を適宜調節することにより調節する。
このため、使用する枚数は、任意の数でよいから、一枚とすることもできるし、複数枚とすることもできる。
【実施例３】
【００５４】
本発明の実施例３に係る引戸装置Ｐは、上記実施例２に近似する構成を示すものであり、図１０に示すように、調節部の構成を、調節用ライナー１５に代えて、調節螺子１７によって行う構成としたものである。
【００５５】
即ち、レール３に対して調節螺子用保持部１８を固定し、該調節螺子用保持部１８によって調節螺子１７を保持する。前記調節螺子用保持部１８は、調節螺子と螺合する雌螺子穴を備えており、調節螺子を該雌螺子穴へ螺合貫通させ、調節螺子の先端１７０が板バネ１２と当接する構成としたものである。
【００５６】
本実施例３によれば、螺子の締込み具合（即ち、螺子の先端の突出量）により支点ｆの高さをすることで、板バネ１２の撓り量を変更し、保持力の調節を行う。尚、調節螺子の先端は本実施例３に開示するように直接板バネ１２と当接する構成であってもよいし、他の部材を取付けてもよい。
【実施例４】
【００５７】
本発明の実施例４に係る引戸装置Ｐは、実施例１から実施例３に係る引き戸装置Ｐと異なり、係止時に対応するハンガー２の係止手段（例えば、回転駒２１）側に調節部（例えば調節板１１）を備えたものである。
【００５８】
即ち、図１１（ａ）に示すように、実施例１に対応する第一ハンガー２ａに取付けられる係止装置２０の位置決め穴を、上下方向を長手とする長穴２８とし、当該第一ハンガー２ａの側片２６に対して上下方向にスライド及び固定を可能としたものである。尚、図１１（ａ）では、第一ハンガー２ａは省略している。
当該構成により、係止部に対応する第一ハンガー２ａの係止手段（本実施例においては回転駒２１）の高さを調節可能とし、長尺弾性体である板バネ１２の撓り量を変更し、引戸Ｓの保持力を調節することができる。
また、図１１（ｂ）に示すように、前記位置決め穴を、上下方向を長手とする長穴２８とすることに加え、係止装置２０を実施例１と同様に断面視Ｌ字状とすることもできる。
【実施例５】
【００５９】
本発明の実施例５に係る引戸装置Ｐは上記実施例４と同様に、係止時に対応するハンガーの係止手段側に調節部を備えたものであり、実施例４の構成から、係止手段のスライド方法を変更したものである。
【００６０】
本実施例５によれば、図１２に示すように、係止手段を回転移動させて高さ方向の位置調節を行うものである。
本実施例５では、第一ハンガー２ａに取付けられる係止装置の位置決め穴について、二つの位置決め穴のうち、一方を丸孔、他方を円弧状長穴とし、円弧状長穴における螺子固定丸孔側を回転移動の中心とし、係止装置を回転移動させることができる。
【実施例６】
【００６１】
本実施例６に係る引戸装置Ｐは、上記実施例４及び実施例５と同様に、係止時において係止部に対応する対応するハンガー側に調節部を備えたものである。本実施例６は、図１３に示すように、実施例４及び実施例５と異なり、係止装置をスライドさせる構成に代えて、係止装置をハンガーの本体から調節用ライナー１６を介して設けた構成としたものである。
【００６２】
本実施例においても、実施例２と同様に、調節用ライナー１６は金属製板材とし、固定用螺子を通すための貫通穴を備える。前記固定用螺子を、前記調節用ライナー１６の貫通穴に通し、レール３に設けた雌螺子穴に対して螺合させることによって、調節用ライナー１６を設置することができる。また、調節用ライナー１６は、使用する枚数を適宜調節することにより調節することができる。
【００６３】
また、図示省略するが、他の実施例として、例えば、実施例１の構成について、実施例２の調節用ライナー１５を調節板１０の第二突出部１１４に設けることにより、調節板１１によるスライド調節と調節用ライナー１５による複数の高さ調節手段を備えることができる。このような調節手段の組合せは、例えば、上記実施例のうちいずれか二つ以上を組合せることによっても行うことができる。
【００６４】
尚、上記実施例においては、いずれも設置部（例えば設置板１０）と長尺弾性部（例えば板バネ１２）とは別体のものを用いたが、本発明はこれに限らず、設置部と長尺弾性部とを一体として形成することもできる。
【００６５】
また、本発明における長尺弾性部は、実施例として金属製の板バネ１２としたが、本発明はこれに限るものではなく、例えば、高強度合成樹脂材料で構成される長尺弾性部とすることもできる。
【符号の説明】
【００６６】
１        保持力調節装置
１０      設置板
１０ａ    外側設置板
１０ｂ    内側設置板
１０１    側板
１０１ａ  取付穴
１０１ｂ  皿ビス
１０１ｃ  雌螺子穴
１０１ｄ  取付穴
１０１ｅ  雌螺子
１０２    底板
１０２ａ  取付穴
１０２ｂ  リベット
１１      調節板
１１０    長穴
１１１    段差
１１３    第一突出部
１１４    第二突出部
１２      板バネ
１２０    基端部
１２１    中央部
１２２    先端部
１２３    頂点部
１２４    取付穴
１２５    傾斜部
１２６    傾斜部
１３      固定用雄螺子
１４      表示
１５      調節用ライナー
１６      調節用ライナー
１７      調節螺子
１７０    先端
１８      調節螺子用保持部
２        ハンガー
２ａ      第一ハンガー
２ｂ      第二ハンガー
２０      係止装置
２１      回転駒
２２      軸ピン
２３      取付基板
２４      戸車
２５      本体側壁
２６      側片
２７      基板
２８      長穴
３        レール
３０      レール縁部
３１      垂直部
３２      水平部
３３      中空枠部
３４      開口
３５      側壁
３６      底面
４        戸袋
５        制動装置
６        ストッパー
７        駆動装置
ｄ        距離
Ｆ        設置上枠
Ｐ        引戸装置
Ｓ        引戸
Ｗ        引戸構造
ｆ        支点
ｗ１      幅寸法
ｗ２      幅寸法
【図１】
2014020160.tif 000003
【図２】
2014020160.tif 000004
【図３】
2014020160.tif 000005
【図４】
2014020160.tif 000006
【図５】
2014020160.tif 000007
【図６】
2014020160.tif 000008
【図７】
2014020160.tif 000009
【図８】
2014020160.tif 000010
【図９】
2014020160.tif 000011
【図１０】
2014020160.tif 000012
【図１１】
2014020160.tif 000013
【図１２】
2014020160.tif 000014
【図１３】
2014020160.tif 000015